(57)【要約】【課題】本発明は、携帯電話機で実行可能な機能の指定を利用者から操作部115を通じて受付けたとき、指定された機能に応じて表示部116の視野角を変化させる携帯電話機を提供する。【解決手段】記憶部120に携帯電話機本体が有する機能と視野角情報を対応づけた視野角情報テーブルを記憶し、利用者から操作部115を通じて実行させたい機能の指定を受付け、指定された機能に対応する視野角情報を視野角変更制御部10が視野角情報テーブルから読み出し、視野角保持部1における現在の視野角情報に基づき視野角変更処理を実行する。【選択図】図2
2005260858.tif 000002
【特許請求の範囲】
【請求項１】
視野角が可変な表示装置を備えた携帯電話機であって、
本体が有する機能の指定を受付ける機能指定手段と、
指定された機能に応じて前記表示装置の視野角を変化させる視野角変更手段と
を備えた携帯電話機。
【請求項２】
前記視野角変更手段は、更に、
視野角変更指示を受付ける変更指示受付手段を備え、
前記変更指示受付手段により視野角変更指示を受付けた場合に前記表示装置の視野角を変化させること
を特徴とする請求項1記載の携帯電話機。
【請求項３】
前記携帯電話機は、更に、
前記表示装置における視野角の状態を表示する視野角表示手段を備えること
を特徴とする請求項1記載の携帯電話機。
【請求項４】
前記携帯電話機は、更に、
本体が有する機能と視野角情報を対応づけて記憶している記憶手段と、
前記記憶手段における前記視野角情報を更新する視野角情報更新手段とを備え、
前記視野角変更手段は、前記視野角情報更新手段により更新された視野角情報に基づいて視野角を変化させること
を特徴とする請求項1記載の携帯電話機。
【請求項５】
前記携帯電話機は、更に、
前記表示装置の表示面をバックライトで照明する照明手段と、
前記視野角変更手段によって変化させる視野角に応じて、前記照明手段におけるバックライトの明るさを制御する照明制御手段と
を備えることを特徴とする請求項1記載の携帯電話機。
【請求項６】
前記携帯電話機は、更に、現在の時刻を示す時計手段と、
前記時計手段が示す前記現在の時刻に応じて、前記視野角変更手段における視野角変更を実行することを制限する視野角変更制限手段と
を備えることを特徴とする請求項1記載の携帯電話機。
【請求項７】
本体は、更に、前記表示装置の表示面において直交する2方向の何れかを表示方向として画像を表示する機能を有しており、
前記視野角変更手段は、画像の表示方向に応じて視野角を変化させること
を特徴とする請求項1記載の携帯電話機。
【請求項８】
前記携帯電話機は、更に、特定方向の視野角を変化させることができ、
前記変更指示受付手段は、更に、前記表示装置の視野角を狭くする方向の指定を受付ける狭視野角方向受付手段を備え、
前記視野角変更手段は、前記狭視野角方向受付手段により受付けた前記方向について前記表示装置の視野角を狭くすること
を特徴とする請求項2記載の携帯電話機。
【請求項９】
CPU及びメモリを備える前記携帯電話機において、制御処理を実行するためのプログラムであって、
前記携帯電話機に実行させる機能の指定を受付ける機能指定ステップと、
前記機能指定ステップによる指定に応じて前記表示装置の視野角を変化させる視野角変更ステップと
を前記CPUに実行させることを特徴とするプログラム。
【発明の詳細な説明】
【技術分野】
【０００１】
本発明は、携帯電話機の表示装置における画像表示に関し、特に表示内容に応じて表示装置の視野角を変化させる技術に関する。
【背景技術】
【０００２】
近年、携帯電話機は、視野角が広い液晶ディスプレイ(以下「広視野角ディスプレイ」という。)が搭載され、機能面においては、通話機能だけでなくメール、カメラ、テレビ等の機能が付加されたものが主流となっている。
これらの機能のうち、写真やテレビ等の機能実行状態における画像は複数人で見る場合もあり、広視野角ディスプレイがこれらの画像を表示するのに適している。
【０００３】
しかし、利用者は屋外で携帯電話機のメール機能を使用することもあり、その場合、他人に見られたくない画像が広視野角ディスプレイに表示されるという困った状況が現出する。
この種の問題を解決する手段として、ディスプレイに視野角を制限するシートを貼り付けることにより、視野角を狭くする技術が特許文献1に開示されている。この技術によれば覗き見を防止することができるが、視野角が固定されてしまうという問題がある。
【０００４】
また、視野角を切替える技術として、広視野角と狭い視野角(以下「狭視野角」という。)を電気的に切替える技術が特許文献2に開示されている。この方法によれば、広視野角と狭視野角を容易に切替えることができる。
この技術は携帯電話機のディスプレイに利用することもでき、例えば、視野角を切替えるボタンを携帯電話機に設け、利用者のボタン操作に応じて視野角を切替えることも可能である。
【特許文献１】登実第3058477号公報
【特許文献２】特開平9-105958号公報
【発明の開示】
【発明が解決しようとする課題】
【０００５】
しかし、表示される画像に応じてその都度、視野角切替操作を行うことは利用者にとって手間であり、また視野角の切替操作を忘れることもある。
本発明は、上記の問題に鑑みてなされたものであり、利用者に視野角切替操作の手間をかけずに、確実に視野角を変化させることを目的とする。
【課題を解決するための手段】
【０００６】
上記問題を解決するため本発明に係る携帯電話機は、視野角が可変な表示装置を備え、本体が有する機能の指定を受付ける機能指定手段と、指定された機能に応じて前記表示装置の視野角を変化させる視野角変更手段とを備える。
【発明の効果】
【０００７】
この構成によれば、利用者は、視野角変更操作を意識することなく、使用する機能を切替える度に視野角を変更する操作の手間を省くことができる。
また、前記携帯電話機は、前記視野角変更手段において、更に視野角変更指示を受付ける変更指示受付手段を備え、前記変更指示受付手段により視野角変更指示を受付けた場合に前記表示装置の視野角を変化させることとしてもよい。
【０００８】
この構成によれば、自動で視野角を変化させた場合であっても、利用者は状況に応じて視野角を変化させることができる。
更に、前記携帯電話機は、前記表示装置における視野角の状態を表示する視野角表示手段を備えることとしてもよい。
この構成によれば、利用者は視野角の状態を認識することができるため、どの視野角に変更するべきかを容易に判断することができる。
【０００９】
また、前記携帯電話機は、更に、本体が有する機能と視野角情報を対応づけて記憶している記憶手段と、前記記憶手段における前記視野角情報を更新する視野角情報更新手段とを備え、前記視野角変更手段は、前記視野角情報更新手段により更新された視野角情報に基づいて視野角を変化させることとしてもよい。
この構成によれば、実行機能に対応する視野角情報の更新ができる為、利用者は各実行機能における視野角を独自に設定することができ、利用者が手動で視野角変更を行う回数を減らすことができる。
【００１０】
また、前記携帯電話機は、更に、前記表示装置の表示面をバックライトで照明する照明手段と、前記視野角変更手段によって変化させる視野角に応じて、前記照明手段におけるバックライトの明るさを制御する照明制御手段とを備えることとしてもよい。
この構成によれば、狭視野角のときにディスプレイの輝度が低下することを防止し、狭視野角と広視野角のいずれの視野角でも同程度の輝度で表示することができる。
【００１１】
また、前記携帯電話機は、更に、現在の時刻を示す時計手段と、前記時計手段が示す前記現在の時刻に応じて、前記視野角変更手段における視野角変更を実行することを制限する視野角変更制限手段とを備えることとしてもよい。
この構成によれば、例えば、夜間等の在宅時は通常の視野角で表示したい場合、自動的に視野角を変更する処理(以下「視野角自動変更処理」という。)を実行する時間帯を制限することにより、視野角自動変更処理を一時的に中止することができ、視野角自動変更処理に要する消費電力を減らすことができる。
【００１２】
更に、前記携帯電話機は、本体において前記表示装置の表示面において直交する2方向の何れかを表示方向として画像を表示する機能を有しており、前記視野角変更手段は、画像の表示方向に応じて視野角を変化させることとしてもよい。
この構成によれば、例えば、縦長のディスプレイの場合、テレビ等の画像はディスプレイを横長にして見ることも多く、画像を縦表示から横表示に切替えたときでも、視野角を変化させることができる。
【００１３】
また、前記携帯電話機は、更に、特定方向の視野角を変化させることができ、前記変更指示受付手段は、更に、前記表示装置の視野角を狭くする方向の指定を受付ける狭視野角方向受付手段を備え、前記視野角変更手段は、前記狭視野角方向受付手段により受付けた前記方向について前記表示装置の視野角を狭くすること
としてもよい。
【００１４】
この構成によれば、例えば、利用者が利用者の右手方向にいる人に表示画像を見せたい場合、利用者の左手方向だけディスプレイの視野角を狭くすることができる。
本発明のプログラムは、CPU及びメモリを備えるコンピュータが実行可能なプログラムであって、前記携帯電話機に実行させる機能の指定を受付ける機能指定ステップと、前記機能指定ステップによる指定に応じて前記表示装置の視野角を変化させる視野角変更ステップとをコンピュータに実行させる。
【００１５】
このプログラムを前記携帯電話機で実行することにより、前述した効果を奏する視野角変更処理を前記携帯電話機において行うことができる。
【発明を実施するための最良の形態】
【００１６】
以下、本発明に係る携帯電話機について詳述する。
＜外観＞
図1は、携帯電話機100の外観を示す正面図である。図1に、アンテナ10、スピーカ11、ディスプレイ12、視野角変更キー13、電源キー14、カーソルキー15、テンキー16、オフフックキー18及びオンフックキー19の配置を例示する。尚、カーソルキー15は、上下左右部分及び中央部分に行われる操作を区別して検出する。
＜機能＞
図2は、携帯電話機100の機能ブロック図である。
【００１７】
以下、図2を用いて携帯電話機100の機能について説明する。
携帯電話機100は、無線部110、変復調部111、音声処理部112、マイク113、スピーカ114、操作部115、表示部116、バイブレータ117、リンガ118、アンテナ119、記憶部120、照明部121、と時計部122、及び制御部130を備える。
無線部110はアンテナ119に受信された受信信号を増幅し、変復調部111は増幅された受信信号を、受話音声信号及び受信データ信号に復調する。音声処理部112は、当該受話音声信号をＤ／Ａ変換してスピーカ114から発音させる。制御部130は、当該受信データ信号に関して所定の処理(例えば電子メール処理)を行う。
【００１８】
また、音声処理部112はマイク113から取得した送話音声信号をＡ／Ｄ変換する。変復調部111はＡ／Ｄ変換された送話音声信号及び制御部130から与えられる送信データ信号を送信信号に変調し、無線部110は当該送信信号を増幅してアンテナ119から送信する。音声及びデータの送受信そのものを実現するための構成は本発明の特徴部分ではないので、従来用いられている一般的な構成を適宜採用するものとし、説明を省略する。
【００１９】
表示部116は、例えばカラー液晶パネルで実現される。
ここで、表示部116の視野角を電気的に切替える技術として、二枚の偏向板の間に視野角制御用液晶素子と画像表示用液晶素子が重ねて配置され、視野角制御用液晶素子に電圧を印加しなければ狭視野角となり、電圧を印加すれば広視野角となる技術が特開平9-105958号公報に開示されている。
【００２０】
本発明における視野角変更処理は、特開平9-105958号公報に開示された技術を用いて実現することとするが、視野角を切替える技術であればこれに限定しない。
次に、表示部116の機能面について以下説明する。
表示部116は、制御部130の制御により各実行機能に関する画像を表示する信号と、視野角変更制御部10から広視野角と狭視野角のいずれかに視野角を変更する信号を受け取ると、指示された視野角で実行機能に関する画像の表示を行う。
【００２１】
尚、表示装置の構成及び機能は特開平9-105958号公報に開示されているため説明を省略する。
記憶部120は、携帯電話機100における各実行機能と視野角情報を対応づけて記憶している。
視野角情報は、図3に例示する様に視野角情報102を実行機能101毎に対応づけて記憶部120に記憶されており、実施の形態では狭視野角を「狭」、広視野角を「広」で表している。
【００２２】
照明部121は、白色LED(発光ダイオード)等で実現され、照明制御部5の指示に応じて表示部116を照明する。
時計部122は、現在の時刻を知らせる機能を有する。
制御部130は、CPU及びメモリ（ROM、RAM）を含んで構成され、利用者による操作部115を通じての操作に応じて携帯電話機100の各部を制御する機能を有している。
【００２３】
制御部130は、ROMに格納されているプログラムをCPUが実行することにより携帯電話機100の全体動作を制御する。ROMは、特に本発明に特徴的な動作、つまり実行機能に応じて視野角を変更する視野角変更動作を実現するためのプログラムを保持している。RAMは、CPUがプログラムを実行するための作業用データを一時的に保持する。
前記制御部130は、視野角情報保持部1、視野角変更制御部10、視野角表示制御部2、照明制御部5を有している。
【００２４】
視野角情報保持部1は、表示部116における現在の視野角の状態を表す一時視野角情報を記憶しており、視野角変更処理を行う際に、一時視野角情報は視野角変更制御部10によって読み出される。
視野角変更制御部10は、利用者から操作部115を通じて実行機能の指定を受付け、記憶部120からその実行機能に対応する視野角情報と、視野角情報保持部1から一時視野角情報を読み出し、視野角情報と一時視野角情報に応じて視野角制御の為の電圧を印加するか否かの信号を表示部116へ送出する。
【００２５】
視野角表示制御部2は、表示部116における現在の視野角の状態を表示する機能を有しており、本発明の実施形態においては、表示部116へ一時視野角情報を示す画像(以下「視野角画像」という。)を表示することとする。
図5(c)は、視野角画像を例示した図であり、一時視野角情報が狭視野角の場合は同図(c)の図を図5(a)201の様に表示し、広視野角の場合は同図(d)を図5(b)202の様に表示することとする。
【００２６】
視野角表示制御部2は、視野角保持部1から一時視野角情報を読み出し、視野角画像を表示する信号を表示部116へ送出する。
照明制御部5は、表示部116の視野角が狭視野角であるときにバックライトの光を広視野角のときより強くするように調整する信号を照明部121へ送出する。
＜動作＞
図4は、携帯電話機100が利用者による実行機能の指定操作に応じて視野角の変更を行う(以下、「視野角自動変更処理」という。)動作を示すフローチャートである。
【００２７】
表示部116が、狭視野角か広視野角のいずれかの視野角で画像を表示している場合において、利用者から操作部115を通じて実行機能の指定を視野角変更制御部131が受付けると(ステップS10)、視野角変更制御部10は指定された実行機能に対応する視野角情報を記憶部120から読み出し、当該実行機能の視野角情報を判断する(ステップS20)。
ステップS20において視野角変更制御部131が実行機能の視野角情報が狭視野角であると判断した場合、視野角変更制御部131は視野角情報保持部1から表示部116における一時視野角情報を読み出し、一時視野角情報が狭視野角と広視野角のどちらであるか判断する(ステップS40)。
【００２８】
ステップS40において、視野角変更制御部10が一時視野角情報を狭視野角であると判断した場合、視野角変更制御部10は視野角変更を指示する信号を表示部116へ送出せず、表示部116は狭視野角で表示を続ける。
また、ステップS40において、視野角変更制御部10が一時視野角情報を広視野角であると判断した場合、視野角変更制御部10は表示部116へ狭視野角で表示することを指示する信号(以下「狭視野角信号」という。)を送出し、この信号を受け取った表示部116は狭視野角で表示を行う (ステップS41)。
【００２９】
次に、ステップS20において、実行機能の視野角情報が広視野角であると視野角変更制御部10が判断した場合、視野角変更制御部10は、視野角情報保持部1から一時視野角情報を読み出し、一時視野角情報が狭視野角と広視野角のどちらであるかを判断する(ステップS30)。
ステップS30において、視野角変更制御部10が一時視野角情報を狭視野角であると判断した場合、視野角変更制御部10は広視野角で表示することを指示する信号(以下「広視野角信号」という。)を表示部116へ送出し、表示部116は広視野角で表示を行う (ステップS31)。
【００３０】
また、ステップS30において、視野角変更制御部10が一時視野角情報を広視野角であると判断した場合、視野角変更制御部10は視野角変更を指示する信号を表示部116へ送出せず、表示部116は広視野角で表示を続ける。
＜視野角手動変更処理＞
次に、前述した視野角自動変更処理による視野角で画像を表示している場合において、利用者の視野角変更操作を受付け、表示部116における現在の視野角を変更する処理(以下、「視野角手動変更処理」という。)について説明する。
【００３１】
視野角手動変更処理は、図2の視野角変更指示受付部3と視野角変更制御部10の制御により行われる。
視野角変更指示受付部3は、利用者による視野角変更キー13押下を受付け、視野角変更を指示する信号を視野角変更制御部10へ送出する。
視野角変更制御部10は、視野角変更指示受付部3から信号を受け取ると、視野角情報保持部1から一時視野角情報を読み出し、一時視野角情報に応じて狭視野角と広視野角のいずれかの視野角を示す信号を表示部116へ送出する。
【００３２】
＜動作＞
図6は、視野角手動変更処理を携帯電話機100で行った場合のフローチャートである。
表示部116において狭視野角か広視野角で表示している場合に、視野角変更指示受付部3が、利用者の操作による視野角変更キー13押下を受付けると、視野角変更制御部10へ視野角変更を指示する信号を送出する(ステップS100)。
【００３３】
次に、ステップS100により視野角変更を指示する信号を受け取った視野角変更制御部10は、視野角情報保持部1から一時視野角情報を読み出し、表示部116における現在の視野角が狭視野角と広視野角のどちらの状態であるかを判断する(ステップS110)。
ステップS110において、視野角変更制御部10が広視野角であると判断した場合、視野角変更制御部10は表示部116へ狭視野角信号を送出し、この信号を受け取った表示部116は狭視野角で表示する(ステップS111)。
【００３４】
また、ステップS110において、視野角変更制御部10が狭視野角であると判断した場合、視野角変更制御部10は表示部116へ広視野角信号を送出し、この信号を受け取った表示部116は広視野角で表示する(ステップS112)。
＜視野角情報更新＞
次に、予め記憶部120に記憶された各実行機能に対応する視野角情報を更新する処理について説明する。
【００３５】
前述した実施の形態において、記憶部120における各機能の視野角情報は固定されているが、視野角情報の更新が行えるようにしてもよい。
図７は視野角情報テーブルの例示であり、各実行機能のメイン機能とサブ機能の視野角情報を対応付けている。
例えば、メイン機能はメール機能全般を示し、サブ機能はメール作成を示している。
【００３６】
前述の視野角情報テーブルを示す図3は、メイン機能だけを設定し、一実行機能における全画像は共通の視野角で表示されるのに対し、図7に示す視野角情報テーブルはメイン機能とサブ機能の視野角情報を持ち、サブ機能の視野角情報が設定されている場合、一実行機能における画像はサブ機能の視野角で表示する。
尚、メイン機能とサブ機能の両方に異なる視野角情報が設定されている場合、サブ機能を実行するときはサブ機能の視野角情報に基づいて表示することとする。
【００３７】
視野角情報更新は、視野角情報更新部4(図2)が記憶部120における視野角情報テーブルの視野角情報を更新することにより行う。
例えば、視野角情報テーブル(図7)のデータを表示部116へ表示し、利用者による操作部115の操作に応じて、視野角情報更新部4が視野角情報テーブルの視野角情報を更新することとしてもよい。
【００３８】
また、視野角情報更新部4は、実行中の機能の終了操作を利用者から操作部115を通じて受付けた場合、当該機能終了前の視野角情報が視野角情報テーブルの視野角情報と異なる場合、終了前の視野角情報を当該機能の視野角情報として更新することとしてもよい。
例えば、図7の電話発信機能に係る画像を、視野角変更制御部10による制御により広視野角で表示している場合を説明する。
【００３９】
表示部116が、電話発信機能に係る画像を広視野角で表示しているとき、利用者による視野角変更キー13押下を受付けた視野角変更指示受付部3が狭視野角信号を表示部116へ送出し、表示部116は狭視野角で画像を表示する。
視野角変更制御部10が、利用者から電話発信機能の終了操作を受付け、視野角情報更新部4へ機能終了を示す信号を送出すると、視野角情報更新部4は視野角情報保持部1から一時視野角情報を読み出し、電話発信機能の視野角情報を狭視野角に更新する。
【００４０】
再び、制御部130が利用者の操作に応じて電話発信機能を実行するとき、表示部116は狭視野角で当該機能に係る画像を表示する。
＜視野角自動変更処理の制限＞
次に、視野角自動変更処理の実行を時間帯に応じて制限する処理について説明する。
前述の実施の形態において、視野角自動変更処理は時間帯に関係なく実行されるが、時間帯に応じて視野角自動変更処理を制限することとしてもよい。
【００４１】
図8は視野角自動変更処理を制限する場合を例示した図であり、同図(a)は、利用者による操作部115を通じての視野角自動変更処理を制限するか否かの指定を受付ける画面を表している。
視野角自動変更処理を制限する場合は「on」、制限しない場合は「off」で表し、同図(a)は「on」の指定を受付けていることを示している。
【００４２】
次に、同図(b)は、視野角自動変更処理を制限する指定を受付けた場合に、視野角自動変更処理の制限開始時刻と制限終了時刻の入力を受付ける画面を示しており、同図(b)では、制限開始時刻19時から制限終了時刻6時が指定されている。
以下、図8を例に視野角変更制限処理について説明する。
視野角変更制限部6は、利用者から操作部115を通じて制限開始時刻19時と制限終了時刻6時の指定を受付けると、時計部122へ19時と6時を示す信号を送出する。時計部122は、現在時刻が19時と6時になるとき、当該時刻を示す信号を視野角変更制限部6へ送出する。
【００４３】
視野角変更制限部6は、時計部122から19時を示す信号を受け取ると視野角変更制御部10へ視野角自動変更処理を中止する信号を送出し、視野角変更制御部10は視野角自動変更処理を中止する。また、視野角変更制限部6が時計部122から6時を示す信号を受け取ると、視野角変更制御部10へ視野角自動変更処理を開始する信号を送出し、視野角変更制御部10は視野角自動変更処理を開始する。
【００４４】
尚、視野角自動変更処理制限の時間帯において、視野角変更指示部3は利用者による視野角変更キー13押下を受付け、視野角変更制御部10は視野角手動変更処理を実行する。
＜正立方向に応じて視野角を変化＞
次に、例えば、携帯電話機100の画面が縦長の長方形である場合、画像を縦長の画面に表示する縦方向表示と、横長の画面に表示する横方向表示を切替え、各画像表示方向に応じて視野角を制御する処理について説明する。
【００４５】
画像の表示方向に応じて画像の生成を行い、生成した画像を表示する技術が特開平5-108055号公報、特開2000-307768号公報に開示されており、本発明の実施の形態において表示方向を切替えて画像を表示する技術にこれらの技術を用いることとする。
また、視野角を変化させる技術として、画面の長辺方向又は短辺方向に視野角依存性を有し、通常の表示を行う場合に視野角特性が長辺又は短辺方向において狭い状態となり、長辺又は短辺方向の視野角特性を拡大することにより広視野角となる技術が特開2003-255307号公報に開示されており、本発明の実施形態における表示装置にこの技術を用いることとする。
【００４６】
液晶表示装置の構成及び機能は、特開2003-255307号公報に開示されているため説明を省略する。
実行機能における画像の表示方向は、実行機能毎に表示方向を対応づけてメモリに記憶している。
視野角変更制御部10は、利用者から操作部115を通じて実行機能の指定操作を受付けると、メモリから実行機能に係る画像の表示方向と、記憶部120における実行機能の視野角情報とを読み出し、表示方向と視野角情報に応じて視野角を変化させる信号を表示部116へ送出する。
【００４７】
例えば、実行機能の画像を縦方向表示にする場合、視野角変更制御部10は短辺方向の視野角特性を変化させる信号を表示部116へ送出する。
＜狭視野角方向指定＞
次に、指定された方向における視野角を変化させる処理について説明する。
特定方向における視野角を拡大させる技術についても、前述の特開2003-255307号公報に開示されており、本発明は当該技術を用いることとする。
【００４８】
特開2003-255307号公報の表示装置は、例えば画面の正面から視角方向を右方向に移動させたとき、この右方向の角度を視野角特性の最も良い角度を表す最適視角方向として視野角を制御することにより、画面の正面に対して視野角が左右非対称となるものである。
これにより、右方向の角度を最適視角方向とする場合、画面右方向の視野角は広くなり、逆方向の視野角は狭くなる。
【００４９】
本発明の実施の形態では、当該液晶表示装置において、予め、画面の左右における複数の最適視角方向と、各最適視角方向と逆方向となる視野角が狭くなる方向(以下「狭視野角方向」という)と、各最適視角方向における視野角特性を広げるための電圧値を対応づけてメモリに記憶させておく。
視野角変更指示部3は、表示部116に画像を表示している場合において、利用者によるカーソルキー15押下により狭視野角方向の指定を受付けると、視野角変更制御部10へ狭視野角方向を示す信号を送出する。
【００５０】
視野角変更制御部10は、狭視野角方向に対する最適視角方向における電圧値をメモリから読み出し、その電圧値を示す信号を表示部116へ送出する。
＜補足＞
尚、本発明を上記の実施の形態に基づいて説明してきたが、本発明は、上記の実施の形態に限定されないのはもちろんである。以下の様な場合も本発明に含まれる。
【００５１】
(1)視野角を変更する表示装置は、実施の形態で用いた表示装置だけでなく、視野角が変更できる他の表示装置を用いて視野角変更処理を行うこととしてもよい。
(2)視野角の状態を表示する手段として、実施の形態では視野角画像を表示部116に表示させているが、例えば携帯電話機100に発光ダイオード等の発光体を内蔵させて、視野角が広視野角と狭視野角のいずれかのときに発光させることにより視野角の状態を表示することとしてもよい。
【図面の簡単な説明】
【００５２】
【図１】本発明の実施形態に係る携帯電話機の外観を示す図である。
【図２】本発明の実施形態に係る携帯電話機の機能構成を示す図である。
【図３】視野角自動変更処理を行う場合の視野角情報テーブルを表した図である。
【図４】視野角自動変更処理を行う場合の動作フローを示す図である。
【図５】携帯電話機の視野角表示画像と当該画像を携帯電話機に表示させた図である。
【図６】視野角手動変更処理を行う場合の動作フローを示す図である。
【図７】視野角情報更新に使用する視野角情報テーブルを表した図である。
【図８】視野角自動変更処理を制限し、制限時刻の入力を受付ける画面を表した図である。
【符号の説明】
【００５３】
1視野角情報保持部
2視野角表示制御部
3視野角変更指示受付部
4視野角情報更新部
10視野角変更制御部
12ディスプレイ
13視野角変更キー
100携帯電話機
115操作部
116表示部
120記憶部
130制御部
【図１】
2005260858.tif 000003
【図２】
2005260858.tif 000004
【図３】
2005260858.tif 000005
【図４】
2005260858.tif 000006
【図５】
2005260858.tif 000007
【図６】
2005260858.tif 000008
【図７】
2005260858.tif 000009
【図８】
2005260858.tif 000010